(57)【要約】  本発明は概してバーチャルリアリティ、バーチャルイメージおよびバーチャルビデオに関し、とりわけ乗り物などの周囲の動きに応じてバーチャルリアリティシーンの光景を変更することに関する。
2012530317.tif 000002
【特許請求の範囲】
【請求項１】
移動している乗り物上の１つまたはそれ以上のディスプレイ装置に表示されるバーチャルリアリティシーンを変更するシステムであって、
コンピュータユニット、１つまたはそれ以上のセンサ、および前記１つまたはそれ以上のディスプレイ装置を含み、
前記コンピュータユニットが、前記乗り物に設置される前記１つまたはそれ以上のセンサから受け取る入力情報に応じて、前記１つまたはそれ以上のディスプレイ装置に信号を送り、前記乗り物の窓から外を見ることによって見られる光景とは異なる、リアルタイムな情報を示さないバーチャルリアリティシーンを映し出させることを特徴とするシステム。
【請求項２】
２つまたはそれ以上のディスプレイ装置を含んでなる請求項１記載のシステム。
【請求項３】
前記ディスプレイ装置が前記乗り物の内部に設置される請求項１記載のシステム。
【請求項４】
前記ディスプレイ装置が前記乗り物の外部に設置される請求項１記載のシステム。
【請求項５】
前記乗り物が、バス、タクシー、列車、飛行機およびエレベータの中のいずれかである請求項１〜３のいずれか１項に記載のシステム。
【請求項６】
前記ディスプレイ装置が、前記乗り物の窓の代わりに、前記動いている乗り物の壁、天井、床、または前記乗り物の内部で見ることができるあらゆる場所に設置されるか、または、見ることができる方法で前記乗り物の外部に取りつけられる、請求項１〜５のいずれか１項に記載のシステム。
【請求項７】
前記ディスプレイ装置が電子スクリーンである請求項１〜６のいずれか１項に記載のシステム。
【請求項８】
前記ディスプレイ装置が、前記乗り物の中または外に、コンテンツを映し出すプロジェクタである請求項１〜６のいずれか１項に記載のシステム。
【請求項９】
前記コンピュータユニットが組み込みシステムである請求項１記載のシステム。
【請求項１０】
前記コンピュータユニットがパーソナルコンピュータである請求項９記載のシステム。
【請求項１１】
前記１つまたはそれ以上のセンサは、加速度計、ジャイロスコープ、位置センサ、高度計、カメラ、マイク、ＲＦＩＤセンサ、または周囲の変化を感知できるモーションセンサを含む、請求項１〜１０のいずれか１項に記載のシステム。
【請求項１２】
前記１つまたはそれ以上のセンサが、ハードドライブ、フラッシュメモリ、またはリアルタイムもしくはオフラインで前記ディスプレイシステムに送られるバーチャルリアリティシーンを記憶できるその他のローカルまたはリモート記憶ユニット、から選択される１つまたはそれ以上の記憶ユニットにリンクされる請求項９記載のシステム。
【発明の詳細な説明】
【技術分野】
【０００１】
本発明は、広くはバーチャルリアリティ、バーチャルイメージおよびバーチャルビデオに関し、特に乗り物などの周囲の動きに応じてバーチャルリアリティシーンの光景を変更することに関する。とりわけ本発明は、乗り物そのものの動きに応じて、動いている乗り物におけるディスプレイ上の表示を変更することに関する。
【背景技術】
【０００２】
バーチャルリアリティシーンの光景を変更することは、例えば、バーチャルリアリティゴーグルを装着しているビューアの頭の動きまたはバーチャルリアリティグローブ装着者の手の動きに応じてなされ得る。
【０００３】
グローブの場合、例えば特許文献１には、コンピュータのキーボードに取って代わるように設計されたデータグローブが記載されている。このグローブは、屈曲センサおよび指先との電気接触を用いて、アルファベットの文字を表す静的な位置を決定する。特許文献２には、グローブの指に取りつけられるひずみゲージを用いて指の曲がりを検知し、この情報をコンピュータに伝達するデータグローブが開示されている。また、特許文献３では、テレビゲームの入力装置として用いられる、指先への接触部を備えるグローブの用途が提案されている。
【０００４】
さらに、特許文献４では、使用者の頭を追跡し、その頭の動きに従ってバーチャルディスプレイを変更する、ヘッドマウントディスプレイシステムの実施の一例が記載されている。
【０００５】
しかしながら、これら公知の装置はいずれも、周囲の状況変化の結果としてバーチャルリアリティシーンの光景を変更するのではなく、キーボードやジョイスティックで行うのと同様に、使用者によって与えられた入力情報または動作に応じて光景を変更する。
【０００６】
特許文献５および同一の譲受人、キャプティベート  ネットワーク  インコーポレーテッド（Captivate Network Inc.）が所有するその他の特許明細書には、エレベータに取り付けられるディスプレイユニットに、デジタル広告と共に「リアルタイム」情報を提供するシステムが開示されている。このシステムは、エレベータ内の乗客に対して一般的および商業的な情報を表示するディスプレイモニタを有するエレベータのディスプレイユニットを含む。またこのシステムは、データ通信パスを介してリモート・プロダクション・サーバからスケジューリング情報を受け取り、このスケジューリング情報に従って、エレベータのディスプレイユニットで表示する一般的および商業的な情報を取り出し、フォーマットするローカル・サーバも含む。しかしながら、このシステムはエレベータ内の乗客に情報を提供するが、これはエレベータの空間的な移動に応じたものではない。
【先行技術文献】
【特許文献】
【０００７】
【特許文献１】米国特許第４，４１４，５３７号明細書
【特許文献２】米国特許第５，１８４，３１９号明細書
【特許文献３】米国特許第４，６１３，１３９号明細書
【特許文献４】米国特許第５，９９１，０８５号明細書
【特許文献５】米国特許第５，９５５，７１０号明細書
【発明の概要】
【０００８】
本発明は、移動する乗り物に設置される１つまたはそれ以上のディスプレイ装置を含む、バーチャルビューを変更するためのシステムに関する。この装置は、コンピュータユニット、および乗り物の空間的な移動の方向を検知する１つまたはそれ以上のセンサにリンクされ、検知された乗り物の動静に応じてディスプレイ装置上に示される内容を変更する。
【０００９】
移動する乗り物は、バス、タクシー、地上または地下の列車、飛行機、エレベータ、または電子スクリーンやプロジェクタなどのディスプレイ装置または手段を取り付けることができる、その他のあらゆる移動する乗り物から選択され得る。
【００１０】
ディスプレイ装置は、乗り物の窓に代わって、移動する乗り物の壁、天井、床または乗り物の内部で見ることができるあらゆる場所に設置されてもよく、また乗り物の内部から見ることができるような方法で、乗り物の外部に取り付けられてもよい。
【００１１】
光景は、あらかじめ定められた、一連の命令、作用パターン、または行動−反応のシナリオを含むあらゆる方法で変更され得る。
【００１２】
ディスプレイ装置は、パーソナルコンピュータなどのコンピュータユニット、または組み込みシステムなどの他のコンピュータ装置にリンクされ、また１つまたはそれ以上の、近くのまたは離れた位置のセンサにもリンクされる。
【００１３】
このセンサは、加速度計、ジャイロスコープ、位置センサ、高度計、カメラ、マイク、ＲＦＩＤセンサ、または周囲の状況変化を感知できるモーションセンサを含んでもいてもよい。
【００１４】
好ましい実施例では、センサは、ハードドライブやフラッシュメモリなどの１つまたはそれ以上の記憶ユニットにリンクされ、または、リアルタイムまたはオフラインでディスプレイシステムに送られるイメージまたは場面または他のあらゆる種類の内容を記憶できる、その他のローカルまたはリモート記憶ユニットにリンクされる。
【００１５】
システム全体が、乗り物内または乗り物の近くまたは遠くをとりまく人々の実際の身体的な感覚との相互関係のもとで、ディスプレイ装置上に表示される内容を変更することによって、乗り物の動作、または乗り物の内部の物体（例えば人間）の動作、またはその両方に反応する。
【００１６】
ディスプレイそのものは、画面の位置または現在の状態にとらわれないので、例えば画面が絶えず回転し得る場合でも、画面上に示される内容は見る人に向けられたままであり、乗り物内のディスプレイの動きではなく、物理的な空間における乗り物の移動方向に反応する。
【００１７】
本発明の要件は、とりわけ本明細書の最後の部分に示され、明確に主張されている。しかし、本発明の構成および作動方法については、その特徴および利点とともに、図面を参照しながら、以下の詳細な説明によって理解することができる。
【図面の簡単な説明】
【００１８】
【図１】本発明の１つの実施例による、移動する乗り物であるエレベータ内のディスプレイの図である。
【図２】本発明の１つの実施例による方法のフローチャートである。
【図３】ディスプレイ装置が、移動する乗り物である列車の車両に置かれている、本発明の１つの実施例を示す。
【発明を実施するための形態】
【００１９】
以下の説明において、本発明の様々な実施例が記載されている。説明のために、本発明の少なくとも１つの実施例の完全な理解を与えるような特定の典型例が示される。しかしながら、本発明の他の実施例は、ここに記載される典型例に限定されないことは、当業者には明らかである。さらに、ここに記載される本発明の実施例を不明瞭にしないために、周知の特徴は省略または簡略化される場合もある。
【００２０】
図１を参照すると、本発明の１つの実施例による、エレベータである乗り物におけるディスプレイの図が示されている。この乗り物、すなわちエレベータ１００には、１つまたはそれ以上のディスプレイ装置、例えば電子スクリーン１０２が備えられており、電子スクリーン１０２の１つは、図１の実施例ではエレベータ１００の壁の１つに設置されて示されている。この１つまたはそれ以上のスクリーン１０２は、パーソナルコンピュータなどのコンピュータユニット１０４、および、例えば加速度計、位置センサ、高度計、カメラ、モーションセンサ、マイク、または他のセンサなどの、１つまたはそれ以上のセンサ１０６にリンクされている。コンピュータユニット１０４はまた、ハードドライブ、フラッシュメモリ、または他の大容量データ記憶装置などの、１つまたはそれ以上のメモリユニット１０８、または遠隔記憶装置、および／またはスクリーン１０２に表示するために送られる実在のイメージまたは場面を送信または変更できるアプリケーション・サーバに繋がれているネットワーク装置１１０にリンクされてもよい。
【００２１】
作動中は、コンピュータユニット１０４がスクリーン１０２に信号を出し、エレベータ１００の窓の外を見ることによって眺められ得る景色以外の場面など、バーチャルシーンまたはあらゆる種類のコンテンツを映し出す。例えば、エレベータがショッピングモール内で上昇または下降する場合、スクリーン１０２上に示され得る場面は、例えばパリの街路の光景、サンゴ礁の中をダイビングしている時に眺められる光景、または火星上の峡谷を移動した時に眺められる光景などでもよい。エレベータ１００の動きはすべて高度計および／または加速度計などのセンサ１０６によって感知され、これはエレベータが上昇または下降していることを検知し、このような動きをコンピュータユニット１０４に送信する。コンピュータユニット１０４は、エレベータ内部のスクリーン１０２に信号を送り、表示される場面を、例えばパリなら、パリのガラスエレベータから見られるような眺めに変える。ここでこのような眺めは、ディスプレイ上に示されるパリの眺めの高さに応じたエレベータの高さに合うようにする。代替的には、スクリーン１０２上に示される光景は、海底でエレベータが上下する際にサンゴ礁がどのように見られるかを示す。また、異なる動作を異なる対象に適用することも可能であって、例えば魚１１２が、エレベータが上下する間バーチャルウィンドウに沿って海に向かって泳ぐこともできる。
【００２２】
同様に、１つまたはそれ以上のスクリーン１０２がバスやタクシーなどの乗り物に設置される際には、例えば、まるでバスやタクシーがパリの通りを進んでいるかのように、パリの通りのバーチャルビューが前へ進むように、プロセッサが、センサの入力情報の反応として、表示されている光景を前へまたは後ろへ進める。従ってディスプレイは、乗り物が動く際にパリの街路で歩道を歩いている歩行者を示すことができる。表示される歩行者の光景は、乗り物が止まった際には乗り物の前へと移動するように見える。しかし乗り物が前に、例えばニューヨークの通りを進むと、乗り物が歩行者の前へと移動するように見えるようパリの歩行者の光景は乗り物に追い越される。乗り物が例えば左折するのに伴って、スクリーン上に示される場面も、同様に乗り物がパリで左折した際の場面を示すように変わる。
【００２３】
図１では、１つのスクリーン１０２が示される。別の実施例においては、いくつかのこのようなスクリーン１０２が、エレベータ１００のいくつかの面または全ての面からの景色の全景が見える眺めを示すように調整され得る。いくつかの実施例において、乗り物の乗り手は、異なる場所にある乗り物の窓を通して見る光景を眺め、この光景の動きは、上記バスまたはタクシーの記載によって例示されるように、乗り物の動きによって決められる。
【００２４】
別の実施例において、表示される場面は、まるで見る人がその場面の中に居るかのように、見る人の動きに反応してもよい。例えば、カメラまたは他の画像取込装置または動作検知装置が、泳いでいる魚１１２の光景を示すスクリーン１０２に対する見る人の動きを感知してもよい。動作検知装置によって検知された見る人の動きに応じて、魚が怯えて、見る人から遠ざかって泳ぐように示されてもよい。１つの実施例においては、メモリ１０８が例えば巨大な飲料のビンの場面を記憶し、ディスプレイ上に示される光景が、エレベータ内で飲み物の側面を登っている見る人によって眺められる光景であってもよい。可能な画面上の光景および周囲の変化に応じた光景の変化は、当然ながら非常に多い。
【００２５】
図２は本発明の実施例に従ったフローチャートを示す。ブロック２００では、乗り物の動きまたはそれを取り巻く環境の変化に応じて、センサがコンピュータユニットに信号を送る。ブロック２０２では、コンピュータユニットが、ローカル若しくはリモート・ロジックまたはデータセンター２０４と照合した結果としての信号をディスプレイ２０６に送り、まるで乗り物が表示されている場面を通って移動しているかのように、またはその場面を変更またはその内容に変化をもたらしているかのように、場面または場面の所定の部分を移動し、または乗り物の動きまたは周囲の変化を模倣しもしくはそれらに応じて、そのようなディスプレイに示されている内容を変更する。
【００２６】
図３は、進行方向を向く画面３０１、および側面の光景３０２に面したもう１つの画面を有する旅客列車の車両３００の室内を示す図である。これらの画面は、コンピュータユニット、記憶装置および／またはネットワーク装置、およびセンサ３０４を含むボックスに接続されている。このシステムは、列車の動きに応じて画面上に示される内容を変更する。１つの実施例においては、列車の車窓３０２に設置される側面の画面は、窓から実際に見られる景色３０６と関連するバーチャルコンテンツ３０７を示し、列車の動きに反応してその上にバーチャルコンテンツ３０８を加えることができる。
【００２７】
同様に、画面３０１上に示される内容は、実際の窓を真似て進行方向に向かうバーチャルシーンを示すこともできる。本発明の実施例によれば、車両の内部または外部のいくつかの場所に複数の画面が設置され得る。また、さらなる同等のシステムの実施例は、図１〜図３の図を参照して上に述べられた特定の実施例に加えて、地下鉄、タクシー、バス、およびその他の乗り物などの場所にも設置され得るということが理解される。
【図１】
2012530317.tif 000003
【図２】
2012530317.tif 000004
【図３】
2012530317.tif 000005
【国際調査報告】
2012530317.tif 000006
2012530317.tif 000007
2012530317.tif 000008